(57)【要約】【課題】安価な構成で、振動に起因する騒音を低減することができるポンプ架台を提供する。【解決手段】本発明のポンプ架台１は、立設された少なくとも２つのＨ形鋼２と、隣接するＨ形鋼２の間に配置される鋼板３と、を備える。鋼板３は、Ｈ形鋼２に溶接されている。Ｈ形鋼２および鋼板３は、少なくとも１つの内部空間１８ａを有する構造体１８を構成する。構造体１８の内面および／または外面には、制振材５が貼付されている。【選択図】図３
2016217303.tif 000002
【特許請求の範囲】
【請求項１】
ポンプを支持するためのポンプ架台であって、
立設された少なくとも２つのＨ形鋼と、
隣接する前記Ｈ形鋼間に配置される鋼板と、を備え、
前記鋼板は、前記Ｈ形鋼に溶接され、
前記少なくとも２つのＨ形鋼および前記鋼板は、少なくとも１つの内部空間を有する構造体を構成し、
前記構造体の内面および／または外面に、制振材が貼付されていることを特徴とするポンプ架台。
【請求項２】
前記内部空間に、吸音材が配置されることを特徴とする請求項１に記載のポンプ架台。
【請求項３】
前記内部空間の全体は、前記吸音材により埋められていることを特徴とする請求項２に記載のポンプ架台。
【発明の詳細な説明】
【技術分野】
【０００１】
本発明は、ポンプを支持するためのポンプ架台に関する。
【背景技術】
【０００２】
従来から、ポンプと、該ポンプに連結された電動機とを備えたポンプ装置が知られている。ポンプは、ポンプ装置のベース上に固定されたポンプ架台によって支持される。電動機の駆動軸は、例えば、カップリング（軸継手）または減速機を介して、ポンプの回転軸に連結される。ポンプ装置では、電動機の駆動軸のトルクがカップリングまたは減速機を介してポンプの回転軸に伝達され、これにより、回転軸に固定された羽根車が回転される。このように、ポンプ装置は、電動機によってポンプの羽根車を回転させる回転機械である。
【０００３】
ポンプ装置を運転すると、ポンプ装置からは回転機械特有の振動や騒音が発生する。特に、ポンプで発生した振動は、該ポンプを支持するポンプ架台に伝わり、ポンプ架台が振動し、その結果、ポンプ架台自体がポンプ装置の騒音源となっていた。
【発明の概要】
【発明が解決しようとする課題】
【０００４】
従来は、ポンプ装置の騒音対策として、ポンプ装置の下に防振マットを設置したり、あるいは騒音防止カバーでポンプ装置を覆ったりしていた。しかしながら、防振マットおよび／または騒音防止カバーを設けると、ポンプ装置のコストが上昇してしまう。したがって、安価な構成で、振動に起因する騒音を低減することができる技術が望まれている。
【０００５】
本発明は、上述の事情に鑑みてなされたもので、安価な構成で、振動に起因する騒音を低減することができるポンプ架台を提供することを目的とする。
【課題を解決するための手段】
【０００６】
上述した課題を解決するための本発明の一態様は、ポンプを支持するためのポンプ架台であって、立設された少なくとも２つのＨ形鋼と、隣接する前記Ｈ形鋼間に配置される鋼板と、を備え、前記鋼板は、前記Ｈ形鋼に溶接され、前記少なくとも２つのＨ形鋼および前記鋼板は、少なくとも１つの内部空間を有する構造体を構成し、前記構造体の内面および／または外面に、制振材が貼付されていることを特徴とするポンプ架台である。
【０００７】
本発明の好ましい態様は、前記内部空間に、吸音材が配置されることを特徴とする。
本発明の好ましい態様は、前記内部空間の全体は、前記吸音材により埋められていることを特徴とする。
【発明の効果】
【０００８】
本発明によれば、ポンプからポンプ架台に伝わった振動は、該ポンプ架台の構造体に貼付された制振材に吸収される。その結果、ポンプ架台の振動が低減され、該振動に起因する騒音を低減することができる。また、構造体は、Ｈ形鋼と該Ｈ形鋼に溶接される鋼板とで構成されるので、ポンプ架台を非常に安価に製作することができる。したがって、騒音対策が施されたポンプ架台を安価に提供することができる。
【図面の簡単な説明】
【０００９】
【図１】本発明の一実施形態に係るポンプ架台に支持されるポンプを備えたポンプ装置の正面図である。
【図２】図１のＡ−Ａ線矢視図である。
【図３】図３（ａ）は、図１に示されるポンプ架台の正面図であり、図３（ｂ）は、図３（ａ）に示されるポンプ架台の上面図である。
【図４】図３（ａ）のＢ−Ｂ線断面図である。
【図５】吸音材によって内部空間の全体が埋められた構造体の断面図である。
【発明を実施するための形態】
【００１０】
以下、本発明の実施形態について図面を参照して説明する。
図１は、本発明の一実施形態に係るポンプ架台１に支持されるポンプ１０を備えたポンプ装置１００の正面図である。図２は、図１のＡ−Ａ線矢視図である。図１に示されるように、ポンプ装置１００は、ポンプ１０と電動機１１とを備える。ポンプ１０の回転軸１５は、ポンプ１０の本体１０ａから水平方向に突出しており、電動機１１に向かって延びる。電動機１１の駆動軸１７は、ポンプ１０に向かって水平方向に延びる。電動機１１の駆動軸１７は、カップリング（軸継手）１２を介してポンプ１０の回転軸１５に連結される。カップリング１２に代えて、減速機が配置されることもある。
【００１１】
ポンプ１０は、本体１０ａから上方に突出する吸込口６および吐出口７を有する。電動機１１によって、ポンプ１０の回転軸１５を回転させると、本体１０ａの内部に配置された羽根車（図示せず）が回転し、その結果、吸込口６から流体（例えば、水）が本体１０ａに取り込まれ、吐出口７から吐き出される。
【００１２】
図１および図２に示されるように、ポンプ１０は、ポンプ装置１００のベース９に固定された２つのポンプ架台１に支持されている。ポンプ１０の本体１０ａからは４つのポンプ支持治具８が水平方向に突出している。図１では２つのポンプ支持治具８のみが描かれているが、これらポンプ支持治具８の反対側にも２つのポンプ支持治具８が設けられている。これらポンプ支持治具８は、並列に並べられた２つのポンプ架台１に載せられ、これによりポンプ１０がポンプ架台１に支持される。
【００１３】
図３（ａ）は、図１に示されるポンプ架台１の正面図であり、図３（ｂ）は、図３（ａ）に示されるポンプ架台１の上面図である。図４は、図３（ａ）のＢ−Ｂ線断面図である。以下、図３（ａ）、図３（ｂ）、および図４を参照して、ポンプ架台１を説明する。
【００１４】
図３（ａ）、図３（ｂ）、および図４に示されるように、ポンプ架台１は、立設された３つのＨ形鋼２と、隣接するＨ形鋼２の間に配置される鋼板３と、を備える。各鋼板３は、隣接する２つのＨ形鋼２の間の隙間を埋めるために設けられている。本実施形態では３つのＨ形鋼２が設けられているので、これらのＨ形鋼２の間の隙間を埋めるために４枚の鋼板３が設けられている。隣接するＨ形鋼２の間に配置された鋼板３はＨ形鋼２に溶接されている。より具体的には、鋼板３はＨ形鋼２のフランジ部に溶接される。
【００１５】
３つのＨ形鋼２および４枚の鋼板３は、２つの内部空間１８ａを有する構造体１８を構成する。Ｈ形鋼２の数は、２つであってもよいし、４つ以上であってもよい。例えば、構造体１８が２つのＨ形鋼２を有する場合、構造体１８には、１つの内部空間１８ａが形成され、構造体１８が４つのＨ形鋼２を有する場合、構造体１８には、３つの内部空間１８ａが形成される。
【００１６】
構造体１８の下端には、鋼板から構成された底板１９が固定されている。底板１９をベース９（図１参照）に固定することにより、ポンプ架台１がベース９に固定される。構造体１８の上端には、鋼板から構成された蓋部材２０が固定されており、蓋部材２０は、内部空間１８ａの一部を塞いでいる。蓋部材２０上に、ポンプ１０の本体１０ａから突出するポンプ支持治具８が載せられることにより、ポンプ１０がポンプ架台１に支持される。
【００１７】
構造体１８の外面および内面（すなわち、Ｈ形鋼２および鋼板３の外面および内面）には、制振材５が貼付されている。制振材５は、構造体１８の外面または内面のどちらか一方に貼付されてもよい。制振材５は、例えば、振動エネルギを熱エネルギに変換することにより、振動を吸収することができる材料である。制振材５を、構造体１８の外面および／または内面に貼付することにより、ポンプ１０からポンプ架台１に伝えられた振動を低減することができる。このような制振材５は、市場で入手可能である。例えば、制振材５として、日本特殊塗料株式会社製のイーディケル（登録商標）を用いることができる。このイーディケル（登録商標）の主材料は、アスファルトである。
【００１８】
本実施形態のポンプ架台１によれば、ポンプ１０からポンプ架台１に伝わった振動は、該ポンプ架台１の構造体１８に貼付された制振材５に吸収される。その結果、ポンプ架台１の振動を低減することができるので、該振動に起因する騒音を低減することができる。また、構造体１８は、Ｈ形鋼２と該Ｈ形鋼２に溶接される鋼板３とで構成される。さらに、構造体１８の下部に固定される底板１９、および構造体１８の上部に固定される蓋部材２０も鋼板から構成される。したがって、ポンプ架台１を非常に安価に製作することができるので、安価な構成で騒音対策を施すことができる。
【００１９】
図３（ａ）、図３（ｂ）、および図４に示されるように、構造体１８の内部空間１８ａに、吸音材４を配置してもよい。吸音材４は、例えば、繊維を主材料とする多孔質材料から構成され、繊維間の空気が音のエネルギを吸収する。このような吸音材４は、市場で入手可能である。例えば、吸音材４として、帝人株式会社製のセパトーン（登録商標）を用いることができる。このセパトーン（登録商標）の主材料は、ポリエステル繊維である。
【００２０】
内部空間１８ａに吸音材４を配置することにより、制振材５によって低減しきれなかった振動に起因して発生する騒音のエネルギを、吸音材４が吸収することができる。したがって、ポンプ架台１から発生する騒音をさらに低減することができる。吸音材４は、内部空間１８ａにおける騒音の共鳴部分に配置されることが好ましい。騒音の共鳴部分は、実験により特定することができる。実験では、ポンプ架台１に載せられたポンプ１０が実際に運転される。
【００２１】
構造体１８の内部空間１８ａの全体を吸音材４で埋めてもよい。図５は、吸音材４によって内部空間１８ａの全体が埋められた構造体１８の断面図である。図５に示されるように、内部空間１８ａの全体を吸音材４で埋めることにより、さらに騒音を低減させることができる。
【００２２】
上記した実施形態に係るポンプ架台１を、工場で試験運転されるポンプ装置１００に用いてもよい。ポンプ装置１００を出荷する前に、該ポンプ装置１００は、客先から要求された性能が満足されているか否かを判断するために、工場で試験運転される。工場で試験運転されるポンプ装置１００のポンプ架台が上記した実施形態に係るポンプ架台１である場合、ポンプ装置１００の試験運転時に該ポンプ装置１００から発生する騒音が低減される。
【００２３】
上述した実施形態は、本発明が属する技術分野における通常の知識を有する者が本発明を実施できることを目的として記載されたものである。上記実施形態の種々の変形例は、当業者であれば当然になしうることであり、本発明の技術的思想は他の実施形態にも適用しうることである。したがって、本発明は、記載された実施形態に限定されることはなく、特許請求の範囲によって定義される技術的思想に従った最も広い範囲に解釈されるものである。
【符号の説明】
【００２４】
１    ポンプ架台
２    Ｈ形鋼
３    鋼板
４    吸音材
５    制振材
６    吸込口
７    吐出口
８    ポンプ支持治具
９    ベース
１０    ポンプ
１１    電動機
１２    カップリング
１５    回転軸
１７    駆動軸
１８    構造体
１９    底板
２０    蓋部材
１００    ポンプ装置
【図１】
2016217303.tif 000003
【図２】
2016217303.tif 000004
【図３】
2016217303.tif 000005
【図４】
2016217303.tif 000006
【図５】
2016217303.tif 000007